(57)【要約】      （修正有）【課題】使用者の好みの対象物が、破損や汚損の心配が無く収容される場所が確保されたスピーカシステムを提供する。【解決手段】筒状の筐体部２と、前記筐体部２の長手方向の両端部側に設けられた高音域乃至低音域の音を発生させるスピーカユニット５と、を備え、前記筒状の前記筐体部２は、前記筐体部２の外部側から内部側に配置された対象物７を視認できる程度に透明であることを特徴とするスピーカシステム１０。【選択図】図１
0003140656.tif 000002
【実用新案登録請求の範囲】
【請求項１】
筒状の筐体部と、
前記筐体部の長手方向の両端部側に設けられた高音域乃至低音域の音を発生させるスピーカユニットと、を備え、
前記筒状の前記筐体部は、前記筐体部の外部側から内部側に配置された対象物を視認できる程度に透明であることを特徴とするスピーカシステム。
【請求項２】
前記筐体部の内部側には、対象物を設置するための台座部が設けられていることを特徴とする請求項１に記載のスピーカシステム。
【請求項３】
前記台座部は、前記筐体部の短手方向に複数設けられていることを特徴とする請求項２に記載のスピーカシステム。
【考案の詳細な説明】
【技術分野】
【０００１】
本考案は、音響機器等に用いるスピーカシステムに関するものである。
【背景技術】
【０００２】
従来より、スピーカシステム自体を音響機器としてだけでなく、インテリア性を高め、視覚的にも楽しむことができるようにするために、例えば、スピーカユニットを配したボックスに、スピーカユニットの振動によりそのボックス内の空気を給排気する連通孔をボックスに穿設し、その連通孔から外部に排気される空気を受けて動作するように連接孔の上に人形を設け、その人形があたかも音楽に合わせて踊るようにしたスピーカシステムが提案されている（例えば、特許文献１）。
【特許文献１】実願昭６２−１７１６３０（実開平１−７７０８６号）のマイクロフィルム（図１等）
【０００３】
このように、音楽を聴きつつ視覚的にも楽しむことができれば、使用者をリラックスさせることが可能となる。しかし、このようなスピーカシステムでは、人形等の対象物が外部に露出しているために、破損してしまったり、異物などが付着し汚損してしまったりするという問題があった。
【考案の開示】
【考案が解決しようとする課題】
【０００４】
そこで、本考案が解決しようとする問題点は、例えば、使用者の好みの対象物が、破損や汚損の心配が無く収容される場所が確保されたスピーカシステムを提供することを目的とする。
【課題を解決するための手段】
【０００５】
前記課題は、本考案の請求項１によれば、筒状の筐体部と、前記筐体部の長手方向の両端部側に設けられた高音域乃至低音域の音を発生させるスピーカユニットと、を備え、前記筒状の前記筐体部は、前記筐体部の外部側から内部側に配置された対象物を視認できる程度に透明であることを特徴とするスピーカシステムにより達成される。
【０００６】
前記構成によれば、筒状の筐体部を有し、その両端部側にスピーカシステムが配されている。そして、その筐体部は、筐体部の外部側から内部側に配置された対象物を視認できる程度に透明である。
このため、使用者が好みの対象物を筐体部の内部側に配置した場合に、筐体部を通してその対象物を視認することができ、使用者は、自分の好みの対象物を視認しながら音楽を聴くことができる。また、筐体部の内部側に対象物が配置されるので、その対象物の破損や汚損を心配することが無いものとなる。
【０００７】
好ましくは、請求項２の考案によれば、請求項１の構成において、前記筐体部の内部側には、対象物を設置するための台座部が設けられていることを特徴とする。
【０００８】
前記構成によれば、筐体部の内部側には、対象物が設置できるような台座部が設けられているので、使用者の任意の対象物を容易に設置させることができる。
これにより、使用者の好みの対象物が上手く設置することができ、且つ、スピーカシステムとしての機能は十分に発揮でき、音響と視覚の両面から楽しむことができる。
【０００９】
好ましくは、請求項３の考案によれば、請求項２の構成において、前記台座部は、前記台座部は、前記筐体部の短手方向に複数設けられていることを特徴とする。
【００１０】
前記構成によれば、台座部が筐体部の短手方向に複数設けられている。
この為、台座部が複数、例えば２つ設けられていた場合に、スピーカシステムの筐体部の内部側に対象物を短手方向に２段に分けて収容することができる。従がって、対象物の配置を変えて収容することができ、視覚の効果を更に得ることができ、使用者は音響と視覚の両面から楽しむことができる。
【考案の効果】
【００１１】
本考案のスピーカシステムは、スピーカシステムとして音質を下げることが無く、使用者の好みの対象物を収容することができ、且つ、その対象物が破損、汚損の恐れが無く、聴覚及び視覚共に楽しむことができる。
【考案を実施するための最良の形態】
【００１２】
以下、この考案の好適な実施の形態を添付図面等を参照しながら、詳細に説明する。
尚、以下に述べる実施の形態は、本考案の好適な具体例であるから、技術的に好ましい種々の限定が付されているが、本考案の範囲は、以下の説明において特に本考案を限定する旨の記載がない限り、これらの態様に限られるものではない。
【００１３】
（第１の実施形態）
図１は、本考案の第１の実施の形態にかかるスピーカシステム１０を示す概略斜視図である。図２は、図１のスピーカシステムの筐体部の内部側に配置された台座部のみを取り出した場合の概略斜視図である。
図１に示すように、スピーカシステム１０は、円筒状のエンクロージャ２を有している。そして、エンクロージャ２の内部側には、台座部３が配置されており、この台座部３の上、図面上では、Ｚ方向の向きＺ１の面側には、対象物７が設置されている。
【００１４】
ここで、このエンクロージャ２は、外部側から内部側が視認できる程度に透明となっており、例えば、アクリル系や、ポリカーボネート系、プロピレン系、ポリエチレン系、ウレタン系、ナイロン系、メラミン系などの樹脂製やガラス製などの筒から成っている。
ここで、透明とは、エンクロージャ２の外部側から内部側に配置されている対象物７が視認できる程度であればよい。
従がって、エンクロージャ２は、無色透明や有色透明であってもよい。また、エンクロージャ２には、ブラスト加工、研磨やエッチング処理やつや消し剤処理などの化学的または物理的処理によるつや消し状の加工やヘアライン状の加工などの表面処理が、一部または全面に施されていてもよい。例えば、エンクロージャ２には、対象物７を設置した部分以外につや消しなどの表面処理の加工を施し、エンクロージャ２の内部に発光ダイオードなどを配して光が散乱できるようにしてもよい。
【００１５】
また、このエンクロージャ２は、図１に示すように、図においてＸ方向が長い円筒状となっており、その両端部、図においてＸ方向の向きＸ１側と向きＸ２側には、バッフル板１が形成されている。
このバッフル板１には、後述するスピーカユニット５が配置されている。つまり、スピーカユニット５は、エンクロージャ２の長手方向（Ｘ方向）の両端部側に配置されるようになっている。バッフル板１は、例えば木製の材質等からなっており、スピーカユニット５を設置するための開口１ａを有しており、スピーカユニット５は、その開口１ａの位置に合わせてバッフル板１に固定されている。スピーカユニット５のバッフル板１への固定手段としては、ネジ１ｂ等である。そして、バッフル板１はエンクロージャ２の長手方向の両端部にネジ等で固定されている。
【００１６】
そして、図１及び図２に示すように台座部３は、略長方形の面をもつ板状部９の四隅付近に脚４が設けられている。
この脚４は、エンクロージャ２の内部側に台座部３が設置し易いように設けられていれば良く、脚４の形状も円柱状、角柱状、半球状等でもよく、材質は、板状部９と同質でも異質でもよく、透明でも不透明でもよい。例えば、脚４は、ゴム等の柔軟な材質を用いて吸盤のように形成し、台座部３は、この脚４によりエンクロージャ２の内部側の面に吸着して固定してもよい。
【００１７】
また、板状部９は、対象物７が設置し易いようになっていればよい。例えば、板状部９の材質は硬質でも軟質でもよく、エンクロージャ２と同様な材質や金属などであってもよい。そして、板状部９の材質は、これらの単体でも組み合わせでもよい。また、板状部９は、透明でも不透明でも良い。
例えば、板状部９をエンクロージャ２と同様な材質の単体で構成し、その対象物７を設置する面に布や紙などで覆うようにされていてもよく、または、樹脂などの板状物の表面に蒸着やめっき等で金属層が形成されるようにしてもよい。
そして、本実施の形態では、台座部３の板状部９は、略長方形の面を持つ板状とされているが、円盤状、環状、扇形状、半円状、三日月状、ハート型などの曲線を持つ面や、三角形状や正方形等の多角形、星型や葉型などの平板状となっているものや、または、上側（向きＺ１側）又下側（向きＺ２側）に湾曲しているような、浅い皿状や凸レンズ形状などのようになっていてもよい。
つまり、対象物７を設置することができるようになっていればよく、特に大きさや形状等は限定されるものではない。
【００１８】
また、対象物７を台座部３に配置して設置する際には、対象物７は、台座部３に接着剤や粘着剤等で固定したり、台座部３の表面、つまり対象物７を設置している面側に摩擦係数の高いものを配して対象物７が摩擦によって動かないようにしたりしておくこともできる。また、台座部３の表面（対象物７を設置している面側）に突起等を設け、この突起によって対象物７が動かないようにしておくことも可能である。
【００１９】
そして、対象物７は、本実施形態では、球状のものを図示しているが、これに限らず、対象物７は使用者の好みのものでよく、エンクロージャ２の内部側に収容できるものであれば、例えば、人形や造花、楽器や車などのミニチュアなど種々の形状や大きさのものでよい。
対象物７は、使用者の好みのものが収容されるので、使用者はスピーカシステム１０で音楽等の音を聞きつつ、対象物７を視認することができるので、聴覚的にも視覚的にも楽しむことができる。
【００２０】
エンクロージャ２には、両端に配置されているスピーカユニット５からの音を調整するためのヴォリュームツマミや電源のＯＮ／ＯＦＦのためのスイッチ等が配置されるコントロールパネル８が設けられている。
本実施の形態において、スピーカユニット５やコントロールパネル８のスイッチ類等を繋ぐ配線等は省略し、図示していないが、対象物７をエンクロージャ２の内部側の台座部３に配置する際に、これらの図示しない配線等が、対象物７に被らないように配置されていることが好ましい。また、このスピーカシステム１０は、エンクロージャ２の内部に図示しないアンプを内蔵するアンプ内蔵型スピーカシステムとしてもよい。
【００２１】
そして、スピーカシステム１０は、架台６によって、支えられ、設置することができるようになっている。スピーカシステム１０と架台６は、一体となっていても別体となっていてもよく、本実施の形態では、別体となっている。本実施の形態のスピーカシステム１０のエンクロージャ２は、筒状であるので、架台６によって、スピーカシステム１０は、任意の設置場所に置くことができる。
【００２２】
また、本実施の形態では、対象物７をエンクロージャ２の内部に設置した状態を示しているが、例えば、対象物７とこの対象物７を照らすようにＬＥＤ等の図示しない光源を配置し、スピーカシステム１０を使用している際に、エンクロージャ２の内部側から外部側に光が漏れるようにして、スピーカシステム１０が、照明装置のように光るようにしてもよい。
あるいは台座部３を透明な材質で形成し、対象物７を配置する面側と逆側、つまり下側にＬＥＤ等の図示しない光源を配置して、台座部３の板状部９を介して対象物７を照明するようにしてもよい。
【００２３】
ここで、エンクロージャ２は、筒状の筐体部の一例となっている。また、エンクロージャ２の長手方向（図面では、Ｘ方向）の両端部側に配置されたスピーカユニット５は、高音域乃至低音域の音を発生させるスピーカユニットの一例である。
本実施形態のスピーカシステム１０によれば、筒状の筐体部の一例であるエンクロージャ２は、外部側から内部側に配置された対象物７を視認できる程度に透明であるので、使用者は、自分の好みの対象物７を視認しながら音楽を聴くことができる。
また、エンクロージャ２の内部側に対象物７が配置されるので、その対象物７の破損や汚損を心配することが無いものとなる。
【００２４】
また、エンクロージャ２の内部側に台座部３が設けられており、対象物７が設置できるようになっている。このため、使用者の好みの任意の対象物７を容易に設置させることができ、スピーカシステム１０としての機能は十分に発揮するので、使用者は、音響と視覚の両面から楽しむことができる。
【００２５】
（第２の実施形態）
図３は、本考案の第２の実施形態に係るスピーカシステム２０の正面よりやや上方からみた概略正面斜視図となっている。
本実施の形態に係るスピーカシステム２０の多くの構成等は、上述の第１の実施の形態に係るスピーカシステム１０の構成と同様であるため、同様の構成は同一符号等として説明を省略し、相違点を中心に説明する。
図３に示すように、第１の実施形態との違いは、スピーカシステム２０の円筒状のエンクロージャ２２の内部側に第１台座部２３ａと第２台座部２３ｂが配置されており、エンクロージャ２２の内部側に複数設けられている点が異なる。つまり、エンクロージャ２２の短手方向、図面上では、Ｚ方向に第１台座部２３ａと第２台座部２３ｂが配置されている。
【００２６】
また、エンクロージャ２２の長手方向、図面上ではＸ方向、の両端部側には、バッフル板２１にエンクロージャ２２の内部側の空気を外部側に排気するためのダクト３０が設けられている点が第１の実施形態と異なる。
このダクト３０は筒状の形状をしており、バッフル板２１のスピーカユニット５の設置位置より下側（図面上では、Ｚ方向のＺ２側）には、ダクト開口３０ｂが穿設されており、そのダクト開口３０ｂにダクト３０の一方の端部が繋がっている。このダクト３０により、低音側の音の広がりがよくなる。ダクト３０の材質は、エンクロージャ２２の材質と同様のものでよい。また、バッフル板２１の材質等は第１の実施の形態と同様となっている。
バッフル板２１へのスピーカユニット５の固定等は、第１の実施形態と同様となっている。また、バッフル板２１のエンクロージャ２２への固定等の手段も第１の実施形態と同様である。
そして、このスピーカシステム２０には、架台２６が設けられており、この架台２６により、スピーカシステム２０は、設置することができるようになっている。この架台２６は、スピーカシステム２０に一体に設けられていても別体に設けられていてもよい。この架台は、スピーカシステム２０の重量を受け止め、安定して設置できるようにされていれば、材質や構成等は特に限定されない。
【００２７】
また、エンクロージャ２２は、第１の実施形態と同様な材質等でなっており、第１台座部２３ａ上に設置されている第１対象物２７ａ及び第２台座部２３ｂに設置されている第２対象物２７ｂを外部側から視認できる程度の透明性を有する。
第１台座部２３ａは、第１板状部２９ａと４つの脚２４ａを有しており、これらの形状や材質、構成等は、第１の実施形態と同様となっている。
また、第２台座部２３ｂは、第１台座部２３ａの下側である向きＺ２側に配置されている。そして、第２台座部２３ｂは、ここでは、第２板状部２９ｂよりなっており、エンクロージャ２２の内部面に設置されており、脚を有していないものとなっている。しかし、  これは、エンクロージャ２２の内部側の空間の大きさや、第１台座部２３ａと第２台座部２３ｂの配置箇所等の関係によるので、第２台座部２３ｂが脚を有したものとしてもよい。そして、第２の台座部２３ｂの第２板状部２９ｂの材質や形状等も第１の実施形態の板状部９と同様のものを使用することができる。
【００２８】
このように、第１台座部２３ａ、第２台座部２３ｂをエンクロージャ２２の内部側に有しているので、それぞれに任意の第１対象物２７ａ及び第２対象物２７ｂを配置することができる。
このように、第２の実施形態のスピーカシステム２０によれば、第１台座部２３ａと第２台座部２３ｂとの複数の台座部を有しているので、スピーカシステム２０の筐体部の一例であるエンクロージャ２２の内部側に対象物を短手方向に２段に分けて収容することができる。従がって、対象物の配置を変えて収容することができ、視覚の効果を更に得ることができ、使用者は音響と視覚の両面から楽しむことができる。
【００２９】
なお、本考案は、上述の実施の形態に限定されない。
【図面の簡単な説明】
【００３０】
【図１】本考案の実施の形態にかかるスピーカシステムを示す概略斜視図である。
【図２】図１のスピーカシステムの台座部の一例を示す概略指図である。
【図３】本考案の第２の実施形態にかかるスピーカシステムを示す概略正面斜視図である。
【符号の説明】
【００３１】
１０、２０・・・スピーカシステム、１，２１・・・バッフル板、１ａ・・・開口、１ｂ・・・ネジ、２、２２・・・エンクロージャ、３・・・台座部、２３ａ・・・第１台座部、２３ｂ・・・第２台座部、４、２４・・・脚、５・・・スピーカユニット、６，２６・・・架台、７・・・対象物、２７ａ・・・第１対象物、２７ｂ・・・第２対象物、８・・・コントロールパネル、９・・・板状部、２９ａ・・・第１板状部、２９ｂ・・・第２板状部、３０・・・ダクト、３０ｂ・・・ダクト開口
【図１】
0003140656.tif 000003
【図２】
0003140656.tif 000004
【図３】
0003140656.tif 000005